(57)【要約】  女性用改良コンドーム器具が、壁、開口端及び閉鎖端を備えた袋と、フレームとを有する。フレームは、袋の開口端の近くに位置決めされると共に開口端の周囲に沿って延びている。繋留具が、使用中、コンドームを定位置に固定するよう閉鎖端の近くで袋内に設けられている。装着具が、中央ストラップを含んでおり、側ストラップを更に含むのがよい。各ストラップの一端は、袋の開口端に固定されている。さらに、ストラップのうち１本又は２本以上は、袋から取り外し可能であるのがよい。少なくとも中央ストラップは、弾性且つ（或いは）柔軟性の材料で作られたものであるのがよい。したがって、使用中、中央ストラップは、使用者の脚相互間に延び、締め付け又は引っ張り作用で使用者の背中に係合する。この締め付け作用は、コンドームを使用中定位置に固定するのを助ける。
2007523729.tif 000002
【特許請求の範囲】
【請求項１】
女性用改良コンドーム器具であって、
開口端及び閉鎖端を構成する壁を有する袋と、
前記閉鎖端の近くで前記袋内に固定された繋留具と、
弾性中央ストラップを備える装着具とを有し、前記ストラップは、前記袋の前記閉鎖端に固定された第１の端と、前記第１の端と反対側の第２の端とを備え、
使用中、前記中央ストラップは、前記コンドームの前記開口端から、使用者の脚間に延びるように操作され、前記中央ストラップの前記第２の端が使用者の背中に弾性的に係合して前記袋を定位置に固定するのを助ける、
女性用改良コンドーム器具。
【請求項２】
前記装着具は、第１の側ストラップ及び第２の側ストラップを有し、前記第１、第２の側ストラップは、前記袋の前記開口端に固定された第１の端と、前記中央ストラップの前記第２の端に固定された第２の端とを備える、請求項１記載の女性用改良コンドーム器具。
【請求項３】
前記袋の前記開口端の近くに位置決めされ、前記袋の前記開口端の周囲に沿って延びるフレームを有する、請求項１記載の女性用改良コンドーム器具。
【請求項４】
前記フレームはフランジを有する、請求項３記載の女性用改良コンドーム器具。
【請求項５】
前記袋の前記開口端の近くに位置決めされたフランジを有し、該フランジは内面及び外面を有する、請求項１記載の女性用改良コンドーム器具。
【請求項６】
前記フランジの前記内面に位置決めされたパッドを有する、請求項５記載の女性用改良コンドーム器具。
【請求項７】
前記パッドは殺精子剤を有する、請求項６記載の女性用改良コンドーム器具。
【請求項８】
前記フランジの前記外面に位置決めされたパッドを有する、請求項５記載の女性用改良コンドーム器具。
【請求項９】
前記パッドは殺精子剤を有する、請求項８記載の女性用改良コンドーム器具。
【請求項１０】
前記袋の前記開口端の近くに設けられた複数のアイレットと、各ストラップの前記第１の端上に位置決めされたクリップとを有し、各ストラップの各クリップは、前記複数個のアイレットのうちの１つのアイレットに取り外し可能に固定されるように操作できる、請求項２記載の女性用改良コンドーム器具。
【請求項１１】
前記中央ストラップの前記第２の端上に位置決めされた振動器具を有する、請求項１記載の女性用改良コンドーム器具。
【請求項１２】
刺激器具を有する、請求項１記載の女性用改良コンドーム器具。
【請求項１３】
前記フレームは、円形、三角形、正方形、楕円形、長方形及び星形から成る群から選択された形状を有する、請求項３記載の女性用改良コンドーム器具。
【請求項１４】
前記繋留具はスポンジを有する、請求項１記載の女性用改良コンドーム器具。
【請求項１５】
前記フレームは、円形、三角形、正方形、楕円形、長方形及び星形から成る群から選択された形状を有する、請求項１記載の女性用改良コンドーム器具。
【請求項１６】
女性用改良コンドームであって、
開口端と閉鎖端とを構成する壁及びフレームを備える袋を有し、前記フレームは、前記袋の前記開口端の近くに位置決めされ、前記袋の前記開口端の周囲に沿って延び、
前記閉鎖端の近くで前記袋内に固定された繋留具を有し、
弾性中央ストラップ、第１の側ストラップ及び第２の側ストラップを備える装着具を有し、前記ストラップは各々、前記袋の前記閉鎖端に固定された第１の端と、前記第１の端と反対側の第２の端とを備え、前記ストラップの各々の前記第２の端は互いに固定されており、
使用中、前記中央ストラップは、前記コンドームの前記開口端から、使用者の脚間に延びるように操作でき、前記中央ストラップの前記第２の端が使用者の背中に弾性的に係合して前記袋を定位置に固定するのを助ける、
女性用改良コンドーム器具。
【請求項１７】
前記袋の前記開口端の近くに位置決めされたフランジを有し、該フランジは内面及び外面を有する、請求項１６記載の女性用改良コンドーム器具。
【請求項１８】
各ストラップの前記第１の端上に位置決めされたクリップを有し、各クリップは、前記袋に取り外し可能に固定されるよう操作できる、請求項１６記載の女性用改良コンドーム器具。
【請求項１９】
女性用改良コンドームであって、
開口端及び閉鎖端を構成する壁と、前記袋の前記開口端の近くに位置決めされ、前記袋の前記開口端の周囲に沿って延びるフレームとを備える袋と、
前記閉鎖端の近くで前記袋内に固定された繋留具と、
弾性の中央ストラップ、弾性の第１の側ストラップ及び弾性の第２の側ストラップを備える装着具とを有し、前記ストラップは各々、前記袋の前記閉鎖端に固定された第１の端と、前記第１の端と反対側の第２の端とを備え、前記ストラップの各々の前記第２の端が互いに固定され、これにより、使用中、前記中央ストラップ及び前記側ストラップは、使用者に弾性的に係合し、これにより前記袋を定位置に固定するのを助けるように操作できる、
女性用改良コンドーム器具。
【請求項２０】
前記袋の前記開口端の近くに位置決めされたフランジを有し、該フランジが内面及び外面を有する、請求項１９記載の女性用改良コンドーム器具。
【発明の詳細な説明】
【技術分野】
【０００１】
本発明は、女性用改良コンドーム器具に関する。特に、本発明は、弾性ストラップ及び（又は）装着具／Ｇストリング型組立体を有する女性用コンドーム器具に関する。装着具又はその一部は、使用時に、使用者の体に対して締め付け作用をもたらして性交中、コンドームを使用者に固定するのを助けるよう操作できる。
【背景技術】
【０００２】
本願は、２００２年２月２４日に出願された米国仮特許出願第６０／５４７，４０３号の優先権主張出願である。
【０００３】
先行技術において、コンドームを使用者に固定する際に使用可能なＧストリング又はこれに類似した装着具組立体を有する種々の女性用コンドームが開示されている。例えば、国際公開第ＷＯ８８／０５２９１号パンフレットは、使用の際に、使用者の膣の入口を覆うように形作られると共に寸法決めされた連続した不浸透性の遮蔽部材を有するバリヤ器具を開示している。遮蔽部材と一体に連続した不浸透性で軟質の袋が設けられ、この袋は、陰茎を受け入れると共に膣内に導入されて陰茎と膣との間の液体バリヤを形成するよう構成されている。遮蔽体と袋は、股関節に掛けられ、臀部相互間を通ってＧストリング型衣料品を形成するストラップにより使用位置に固定できる。変形例として、メンブレンをパンティ状衣料品内に使用位置で固定してもよい。
【０００４】
別の例では、レディー（Reddy）に付与された米国特許第５，１６８，８８１号明細書（同第５，４９０，５２５号明細書も又参照されたい）は、予防器具を記載している。この器具は、閉鎖端及び開口端を備えた中空袋を有する。袋の開口端は、連続フランジ部材に取り付けられると共にこれによって包囲されている。フランジは、袋の開口端周りに少なくとも１インチ（２．５４ｃｍ）外方に延びている。フランジは、液体不浸透性でなければならず、このフランジは、軟質でも非軟質でもよく、又、弾性でも非弾性でもよい。複数本のストラップが、フランジに固定され、これらストラップは、これらの互いに反対側の端がバンドに連結され、これらバンドは、この器具を使用する女性の腰の周り又は骨盤の周りに装着できる。別の実施形態では、この器具は、弾性腰部分を備えたビキニ状パンティ衣料品に連結される。
【０００５】
【特許文献１】国際公開第ＷＯ８８／０５２９１号パンフレット
【特許文献２】米国特許第５，１６８，８８１号明細書
【特許文献３】米国特許第５，４９０，５２５号明細書
【発明の開示】
【発明が解決しようとする課題】
【０００６】
締め付け作用をもたらしてコンドームを使用者に固定するのを助けるよう操作できる装着具又は装着具組立体を有する女性用コンドームは、先行技術としては存在しない。
【課題を解決するための手段】
【０００７】
本発明は、コンドーム及び装着具を有する女性用改良コンドームに関する。このコンドームは、開口端及び閉鎖端を構成する壁を備えた袋を有する。また、フレームを開口端の近くに位置決めするのがよい。具体的に説明すると、もし設ける場合、フレームは、袋の開口端の近くに位置決めされ、このフレームは、開口端の周囲に沿って延びる。
【０００８】
繋留具、例えば、軟質円板が、閉鎖端の近くで袋内に位置決めされる。使用の際、袋を使用者の膣内に挿入すると、繋留具により、袋の壁が膣壁に圧接し、それにより使用中における袋の偶発的な抜け出しの恐れを減少させる。
【０００９】
装着具は、弾性中央ストラップを含み、この装着具は、弾性の第１の側ストラップ及び弾性の第２の側ストラップを含むのがよい。ストラップは各々、袋の閉鎖端（又はフレーム）に固定された第１の端及び第１の端と反対側の第２の端を有し、これらの端は、互いに固定される。
【００１０】
使用に当たり、少なくとも中央ストラップは、袋の開口端から使用者の脚と臀部との間に延びて使用者の背中に弾性的に係合する。したがって、ストラップは、使用中、袋を定位置に固定するのを助ける。
【００１１】
コンドームは、開口端及び閉鎖端を備えた中空袋を備える。装着具は、袋の開口端に固定されると共にこれらの反対側の端部のところで互いに固定されるストラップを含む。ストラップのうち１本又は２本以上は、かかるストラップが使用の際に「ばね押し」され、又は違ったやり方で弾性引っ張り力を使用者にもたらしてコンドームを使用中定位置に固定するのを一段と助けるように形成されている。例えば、ストラップは、例えばポリマー又は断熱（又は被覆）ワイヤのような材料を用いる弓形又はＵ字形に形成されたものであるのがよい。特に好ましい例では、中央ストラップは、当該技術分野において知られているポリマー材料を用いる柔軟又はしなやかであるが弾性の弓形として構成されている。使用の際、使用者は、コンドームの装着具をＧストリングのように着用し、袋を使用者の膣内に挿入する。いったん定位置に位置すると、ストラップが弾性のものなので、ストラップは、使用者の「腰のくびれ（small-of-the-back）」に締め付け作用で圧接し、この締め付け作用は、性交中、ストラップ及びかくしてコンドームを定位置に保持する。
【発明を実施するための最良の形態】
【００１２】
今、添付の図面を参照する。なお、図中、同一の参照符号は、同一の部分を示している。
【００１３】
今、図１を参照すると、本発明の女性用改良コンドーム組立体１０が、コンドーム部分１２及び装着具（ハーネス）１４を有している。コンドーム部分１２は、開口端１８及び閉鎖端２０を構成する壁２４を備えた袋１６を有する。装着具１４は、１本又は２本以上のストラップを有するのがよく、かかるストラップは、袋１６の開口端１８に固定されていて、かかるストラップをこれらの互いに反対側の端部のところで互いに固定できる（これについては以下に説明する）。袋１６は、使用者の膣（図示せず）内に導入されて陰茎と膣との間の流体のバリヤを形成するよう操作できる。組立体１０の装着具１４の部分は、袋１６を使用中定位置に維持するのを助けるよう使用者によって着用される。
【００１４】
図１及び図２を参照すると、コンドーム１２の袋１６は、壁２４を有し、この壁は、連続した水不浸透性であって軟質の材料、例えばラテックス、有機材料及び当該技術分野において知られているポリマー又は任意他の材料で作られたものであるのがよい。フレーム２６を開口端１８の近くで、好ましくはその周囲に沿って袋１６の壁上又は壁内に位置決めするのがよい。フレーム２６は、種々の形態で構成されたものであってよく、かかる形態としては、単一の可撓性リングとしての形態、単一剛性リングとしての形態、開口端１８の周囲を包囲するポケット又は管内に設けられた２つ又は３つ以上の剛性又は可撓性要素としての形態、又は、開口端１８を包囲し、開口端の周囲から遠ざかって延びるカラー、捲縮輪又はフランジ（以下に説明する）としての形態が挙げられる。フレーム２６は又、開口端１８が特定の形状（例えば、円形、三角形（ｖ字形）、正方形、楕円形、長方形、星形等）を取るように形成されたものであるのがよい。また、本発明のコンドーム１０は、フレーム２６を設けないで構成されたものであってもよい。
【００１５】
図１〜図５に示すように、繋留具２８、例えば軟質円板又はスポンジ２９が、閉鎖端２０の近くで袋１６内に固定されている。使用の際、袋１６を使用者の膣（図示せず）内に挿入すると、繋留具２８により、袋１６の壁２４が膣壁に圧接し、それにより使用中における袋１６の偶発的な抜け出しの恐れを減少させる。繋留具２８は、スポンジ又はスポンジ状材料、ポリマー、無孔材料、非スポンジ材料又は当該技術分野において知られている任意他の材料で作られたものであるのがよい。さらに、繋留具２８は、種々の形状（円形、楕円形、正方形、長方形等）及び種々の寸法で構成されたものであってよい。
【００１６】
図３〜図５を参照すると、装着具１４は、中央（又は第１）のストラップ３０及び１対（又は第１及び第２）の側ストラップ３２，３４を有するのがよい。中央ストラップ３０は、袋１６の開口端１８に固定された端３０ａを有する。しかしながら、袋１６がフレーム２６を有する場合、中央ストラップ３０の端３０ａをフレーム２６の一部に固定してもよい。例えば、フレーム２６が三角形（又はｖ字形）形状を有する場合（例えば図３参照）、中央ストラップ３０の端３０ａをフレーム２６の１つのコーナ部の頂点のところでフレーム２６に固定するのがよい。中央ストラップ３０の他端３０ｂは、連結部材３６を有するのがよい。
【００１７】
依然として図３〜図５を参照すると、対をなす側ストラップ３２，３４も又各々、いったん３２ａ，３４ａが開口端１８、又は変形例として袋１６の開口端１８のフレーム２６に固定される。フレーム２６が設けられていない場合、ストラップ３０，３２，３４の端３０ａ，３２ａ，３４ａは、開口端１８の周囲に固定される。また、アイレット３５を開口端１８の周囲に沿って設けるのがよく、又は、ストラップ３０，３２，３４をコンドーム部分１２に取り付ける手段としてフレーム２６によって構成してもよい。側ストラップ３２，３４の反対側の端又は他端３２ｂ，３４ｂを中央ストラップ３０の他端３０ｂ又は連結部材３６に固定し又はこれと一体に形成するのがよい。
【００１８】
中央ストラップ３０を使用者の脚と臀部との間に位置決めできること、側ストラップ３２，３４を使用者の腰の周りに位置決めして上述した装着具１４がＧストリング衣料品の外観を有し、ストラップ３０，３２，３４の他端３０ｂ，３２ｂ，３４ｂが使用者の背中の下方の付近で固定される（上述した）ことができるようになっていることが理解されよう。
【００１９】
図１〜図５を参照すると、ストラップ３０，３２，３４のうち１本又は２本以上は、かかるストラップが使用の際に「ばね押し」され、又は違ったやり方で弾性引っ張り力を使用者にもたらしてコンドーム１０を使用中定位置に固定するのを一段と助けるように形成されている。例えば、ストラップ３０，３２，３４は、例えばポリマー又は適当なゲージの断熱（又は被覆）ワイヤのような材料を用いて弓形又はＵ字形の状態に形成し又は成形したものであるのがよい。したがって、ストラップ３０，３２，３４は、ストラップ３０，３２，３４が硬質であり、柔軟又はしなやかであり、軟質であり又はこれらの組み合わせであるように構成されたものであるのがよいことが理解されよう。ストラップ３０，３２，３４は、あらかじめ応力が加えられ又は付形された仕方で構成されたものであってよく、したがって、ストラップは、特定の体の形状（即ち、股関節、腰、臀部相互間の形状等）に一致する（又は抱きかかえる）ようになっている。また、ストラップ３０，３２，３４は、暗闇で光る材料で作られたものであってもよく、或いは、暗闇で光るように構成されたもの（例えば、反射器、ライト（灯）等）であってもよい。また、以下に更に説明するように、ストラップ３２，３４は、取り外し可能であるのがよい。
【００２０】
図４及び図５に示すように、中央ストラップ３０は、当該技術分野において知られたポリマー材料を用いて柔軟又はしなやかな弓形として構成されたものであるのがよい。したがって、使用に当たり、ストラップ３０の端３０ａ，３０ｂ相互間の距離が中央ストラップ３０を使用者の脚相互間に位置決めするのに不十分である場合、使用者は、手でストラップ３０を広げるのがよい。しかる後、使用者は、コンドーム１０の装着具１４をＧストリング（図５参照）として着用し、袋１６を使用者の膣内に挿入する。いったん定位置に位置すると、ストラップ３０が弾性のものなので、ストラップは、使用者の「腰のくびれ（small-of-the-back）」に締め付け作用で圧接し、この締め付け作用は、性交中、ストラップ３０及びかくしてコンドーム１０を定位置に保持する。
【００２１】
図１、図２及び図４に示すように、本発明の組立体１０は、単一のストリップだけを用いて構成されている。例えば、中央ストリップ３０は、硬質であり、柔軟又はしなやかであり、軟質であり又はこれらの組み合わせ材料であるのがよく、かかる材料は、これがコンドーム部分１２の開口端１８から延びて、使用者の脚と臀部との間を通り、そして使用者の背中に締め付け作用で圧接するように構成されている。さらに、もし設けられていれば、側ストラップ３２，３４は、これらストラップ３２，３４がコンドーム部分１２から取り外し可能である（図３に示されている）ように構成されたものであるのがよい。図３に示すように、中央ストラップ３０は、装着具１４を含む組立体全体を再使用できるように取り外し可能であるように設計されたものであるのがよい。したがって、装着具１４全体は、袋１６に取り付け取り外しできる別個のユニットとして構成されたものであるのがよい。具体的に説明すると、かかる実施形態では、解除可能なクリップ３７（又はこれと同様な止め具）が、各ストラップ３０，３２，３４の端３０ａ，３２ａ，３４ａのところに設けられる。クリップ３７は、袋１６の開口端１８のフレーム２６（又は変形例として、フレーム２６が設けられていない場合には壁２４）に係合するよう操作できる。
【００２２】
図１及び図２を参照すると、本発明にかかる使用者に追加の快適さを提供するために、ストラップ３０の他端３０ｂのところの連結部材３６は、三角形の形をしたリング、包囲された円又は楕円形、或いは起伏のある形の体に合致する形状として構成されたものであるのがよい。連結部材３６は、ストラップ３０（３２，３４）の締め付け作用を使用者の背中の広い領域に分布するよう働くと共によりよい快適さを使用者にもたらす。
【００２３】
図４及び図５に示すように、コンドーム１０の組立体は、刺激器具を更に有するのがよい。具体的に説明すると、コンドーム１０の組立体は、脈動し又は振動するよう電気的に充電される刺激器具を有するのがよく、それにより、コンドーム部分１２は、例えばストラップ３０，３２，３４に連結されているので同じ動作を行う。より詳細に説明すると、刺激器具は、１つ又は２つ以上のマイクロチップ制御式振動又は脈動器具３９を含むのがよく、かかる振動又は脈動器具をコンドーム１２の袋１６の壁２４上、ストラップ３０，３２，３４のうち１本又は２本以上に沿う任意の箇所、ストラップ３０，３２，３４の連結箇所、アイレット３５上、アイレット３５内又はアイレット３５の近く、クリップ３７上、連結部材３６又は連結部材３６内、繋留具２８内又は繋留具２８上及び（又は）（以下に説明する）フレーム２６上に位置決めするのがよい。好ましくは、器具３９は、脈動及び（又は）振動をコンドーム部分１２（そのフレーム２６を含む）に通じるストラップ３０，３２，３４のうち１本又は２本以上に誘起させ又は伝達する。マイクロチップ制御式振動又は脈動器具３９に、例えばかかる器具３９等に取り付けられ又はその近くに設けられたオンチップ型マイクロバッテリ方式の市販の動力学的運動技術、補聴器用バッテリ又はこれらに類似したバッテリを用いて電力供給するのがよい。かかる動力学的運動発電源の例は、セイコー・エプソン・コーポレイションに付与された米国特許第５，８２２，２７８号明細書及び同第６，１５４，４２２号明細書に開示されており、これら米国特許を参照により引用し、これらの開示内容を本明細書の一部とする。振動又は脈動器具３９の変形例として（又は、これに追加して）、刺激装置は、化学的又は電子的発熱体４３、例えばコンドーム１０組立体の１つ又は２つ以上の要素／構造体に組み込まれたヒータチップ、薄膜発熱体、マイクロファイバ、或いは、熱を感じさせる公知の発熱剤又はこれに類似した公知の化学剤を含み又はこれらで構成されたものであるのがよい。また、１つ又は２つ以上の発熱体４３を振動又は脈動器具３９も又上述したように位置決めされる任意の箇所で振動又は脈動器具３９と共に又はこれに代えてコンドーム１０上に位置決めしてもよい。さらに、発熱体４３に振動又は脈動器具３９と関連して使用するために上述した手段と同一の手段又はこれに類似する手段を用いて（必要ならば）電力供給するのがよい。かくして、コンドーム１０組立体の運動及び（又は）熱は、振動及び（又は）熱い感じが女性性器で感じられるので、コンドームの女性着用者に追加の刺激を与える。
【００２４】
図４及び図５を依然として参照すると、代替的に又は追加的に、マイクロチップ制御式振動又は脈動器具３９をフレーム２６上に位置決めし又はこれに連結してもよい。例えば、器具３９をフレーム２６に設けられたポケット内に収納し又は壁２４内に設けてもよい。フレーム２６がフランジ又はカラーである場合、袋１６を使用者に向いたフレーム２６の側又は使用者から遠ざかる方向に向いたフレーム２６の側に設けるのがよい。器具３９は、フレーム２６を貫通し、器具の作動時に振動等を行うワイヤ（又はワイヤフレーム２６）と連係するのがよい。
【００２５】
図３〜図５を参照すると、袋１６の開口端１８は、連続したフランジ部材３８を有するのがよい。上述したように、フランジ３８は、これが使用者の要望に応じて、袋１６の開口端１８から外方へ１インチ〜４インチ（２．５４ｃｍ〜１０．１６ｃｍ）延びるように構成されたものであるのがよい。フランジ３８は、フレーム２６としても機能するのがよい（例えば図３参照）。フランジ３８は、コンドーム１０の使用時に使用者の方へ向く内面４０及びコンドーム１０の使用時に使用者から遠ざかる方向に向く外面４２を有する。フランジ３８は、袋１６の開口端１８の周囲周りに外方に延びており、かかるフランジは、可撓性又は不撓性、弾性又は非弾性材料で作られたものであるのがよい。好ましくは、フランジ３８は、液体を通さない。
【００２６】
次に図４を参照すると、パッド４４をフランジ３８（フレーム２６）の内面４０、外面４２又は両面４０，４２上に位置決めするのがよい。パッド４４は、スポンジであるのがよい。また、パッド４４を殺精子剤で含浸させ又は殺精子剤で被覆するのがよい。
【００２７】
かくして、本発明を説明したが、特許請求の範囲に記載された本発明の範囲又はその均等範囲から逸脱しない種々の他の実施形態が当業者には明らかになろう。
【図面の簡単な説明】
【００２８】
【図１】本発明の改良コンドームの斜視図である。
【図２】本発明の改良コンドームの別の実施形態の斜視図である。
【図３】フランジ及びアイレットを有する本発明の改良コンドームの更に別の実施形態の斜視図である。
【図４】本発明の改良コンドームの更に別の実施形態の周りの状況を示す斜視図である。
【図５】本発明の改良コンドームの最後の実施形態の斜視図である。
【図１】
2007523729.tif 000003
【図２】
2007523729.tif 000004
【図３】
2007523729.tif 000005
【図４】
2007523729.tif 000006
【図５】
2007523729.tif 000007
【国際調査報告】
2007523729.tif 000008